(57)【要約】【課題】光源からの光が的確に配光制御された高品質な照明光を実現可能な照明装置を提供する。【解決手段】照明装置は、発光モジュール１０２を搭載するための搭載部と、発光モジュール１０２からの光の照射範囲を制御する制御手段と、を備える。制御手段は、発光モジュール１０２からの光を装置前方に向けて反射させる反射部材１３２と、反射部材１３２を発光モジュール１０２に対して相対的に移動させる移動機構１３４とを含む。【選択図】図８
2015015109.tif 000002
【特許請求の範囲】
【請求項１】
光源を搭載するための光源搭載部と、
前記光源からの光を透過させ、かつ、制御する光透過部材と、
前記光源からの光の照射範囲を制御する制御手段と、を備え、
前記制御手段は、
前記光源からの光を装置前方に向けて反射させる反射部材と、
前記反射部材と前記光源の相対位置を移動可能とする移動機構と、を含むことを特徴とする照明装置。
【請求項２】
光源と、前記光源の光軸上に配置され略回転楕円面形状の反射面を有する反射部材と、を含む光源ユニットと、
前記光源ユニットからの光を装置前方に透過させる光透過部材と、
前記光源ユニットと光透過部材の相対位置を移動可能とする移動機構と、を備えることを特徴とする照明装置。
【請求項３】
前記光源は、前記光透過部材の後側焦点に対して前記光透過部材とは反対側にそれぞれ配置された第１光源と第２光源とを有し、
本装置は、前記第１光源と前記第２光源の点灯を制御する点灯制御部をさらに含み、
前記反射部材は、
前記第１光源の光軸上に配置され略回転楕円面形状の反射面を有する第１反射部材と、
前記第２光源の光軸上に配置され略回転楕円面形状の反射面を有する第２反射部材と、を有し、
前記第１反射部材は、第１焦点が前記第１光源近傍に位置し、第２焦点が前記光透過部材の後側焦点近傍であって後側焦点よりも前記光透過部材に近い側に位置し、
前記第２反射部材は、第１焦点が前記第２光源近傍に位置し、第２焦点が前記光透過部材の後側焦点近傍であって前記第１反射部材の第２焦点よりも前記光透過部材から遠い側に位置することを特徴とする請求項２に記載の照明装置。
【発明の詳細な説明】
【技術分野】
【０００１】
本発明は、照明装置に関する。
【背景技術】
【０００２】
従来、様々な用途の照明装置が考案されている。例えば、室内照明、屋外照明、スタジオ照明、舞台装置等が知られている。中でもスタジオ照明や舞台装置には、より明るい光量が求められており、光源としてはハロゲン電球や放電ランプが多く使われていた。
【０００３】
一方、新たな光源としてＬＥＤの性能は日々向上し、蛍光体との組み合わせで白色光源を実現するものも種々考案されている。近年ではスタジオ照明等の光源として、青色ＬＥＤと黄色蛍光体とを組み合わせた白色光源も考案されている（特許文献１参照）。
【先行技術文献】
【特許文献】
【０００４】
【特許文献１】特開２０１２−８９３９４号公報
【発明の概要】
【発明が解決しようとする課題】
【０００５】
しかしながら、特許文献１に記載したような従来の照明装置では、光源からの光が十分に配光制御されておらず、改善の余地がある。
【０００６】
本発明はこうした状況に鑑みてなされたものであり、その目的は、光源からの光が的確に配光制御された高品質な照明光を実現可能な照明装置を提供することにある。
【課題を解決するための手段】
【０００７】
上記課題を解決するために、本発明のある態様の照明装置は、光源を搭載するための光源搭載部と、光源からの光を透過させ、かつ、制御する光透過部材と、光源からの光の照射範囲を制御する制御手段と、を備える。
【０００８】
この態様によると、光透過部材から出射される光の照射範囲を制御することができる。
【０００９】
なお、以上の構成要素の任意の組み合わせや、本発明の構成要素や表現を方法、装置、システムなどの間で相互に置換したものもまた、本発明の態様として有効である。
【発明の効果】
【００１０】
本発明によれば、光源からの光が的確に配光制御された高品質な照明光を実現可能な照明装置を提供できる。
【図面の簡単な説明】
【００１１】
【図１】第１の実施の形態に係る照明装置の概略構成を示す断面図である。
【図２】本実施の形態に係る照明装置に用いられる光透過部材の断面図である。
【図３】青色ＬＥＤとＹＡＧ黄色蛍光体とで構成された発光モジュールの発光モデルを模式的に示した図である。
【図４】第１の実施の形態に係る発光モジュールの発光モデルを模式的に示した図である。
【図５】図５（ａ）は、図３に示す発光モジュールの発光スペクトルの模式図、図５（ｂ）は、図４に示す発光モジュールの発光スペクトルの模式図である。
【図６】第１の実施の形態の実施例に係る発光モジュールの概略構成を示す図である。
【図７】第１の実施の形態の実施例に係る発光モジュールの概略構成を示す図である。
【図８】第１の実施の形態に係る反射ユニットと発光モジュールとの周辺を拡大して示す拡大断面図である。
【図９】図９（ａ）は、反射面の焦点が発光モジュールより前方に位置するように反射部材を移動させた状態を示す図であり、図９（ｂ）は、図９（ａ）よりも反射部材を前方に移動させた場合を示す図である。
【図１０】第２の実施の形態に係る反射ユニットと発光モジュールとの周辺を拡大して示す拡大断面図である。
【図１１】第３の実施の形態に係る光透過部材と反射ユニットと発光モジュールとの周辺を拡大して示す拡大断面図である。
【図１２】図１２（ａ）、（ｂ）は、複数の部材を用いて光透過部材を構成する場合を説明するための説明図である。
【図１３】第５の実施の形態に係る照明装置の概略構成を示す断面図である。
【発明を実施するための形態】
【００１２】
以下、本発明を好適な実施の形態をもとに図面を参照しながら説明する。各図面に示される同一または同等の構成要素、部材、処理には、同一の符号を付するものとし、適宜重複した説明は省略する。また、実施の形態は、発明を限定するものではなく例示であって、実施の形態に記述されるすべての特徴やその組合せは、必ずしも発明の本質的なものであるとは限らない。
【００１３】
（第１の実施の形態）
（照明装置）
はじめに、照明装置の概略構成について説明する。図１は、本実施の形態に係る照明装置の概略構成を示す断面図である。
【００１４】
本実施の形態に係る照明装置１００は、テレビスタジオ等の照明に用いられるスポットライトやフラッドライト、キャスターライト等として用いられる。図１に示す照明装置１００は、少なくとも１個以上の半導体発光素子を有する発光モジュール１０２と、発光モジュール１０２が出射した光を前方へ反射させる反射ユニット１３０と、発光モジュール１０２が発する熱を放熱する放熱機構１０６と、発光モジュール１０２および反射ユニット１３０を収容する筐体１０８と、を備える。照明装置１００をテレビスタジオ等でスポットライトとして用いる場合は、出射光束が、５０００〜３００００ルーメンの発光モジュール１０２によって３０００ルーメン以上の照射光を実現できる。
【００１５】
（筐体）
筐体１０８は、断面が多角形または円形の筒状の部材であり、熱伝導性が良好で軽量な材質、例えば、アルミニウム、マグネシウム、チタン、鉄、銅、ステンレス、銀、ニッケルなどの金属材料や、熱伝導率の良い充填材を混合した高熱伝導性プラスチック材料、例えば、ポリアミド、ＰＴＦＥ（ポリテトラフルオロエチレン）、ＰＯＭ（ポリアセタールコポリマー）、ＰＣ（ポリカーボネート）、ＰＩ（ポリイミド）、ＰＰＥ（ポリフェニレンエーテル）、ＰＳＵ（ポリスルホン）、ＰＰＳ（ポリフェニレンサルファイド）、ＰＢＴ（ポリブチレンテレフタレート）、ＰＡＩ（ポリアミドイミド）、ＰＡＲ（ポリアリレート）、ＰＥＳ（ポリエーテルスルホン）、ＰＥＥＫ（ポリエーテルエーテルケトン）、ＰＥＩ（ポリエーテルイミド）、ＬＣＰ（液晶ポリマー）、ＰＥＫ（ポリエーテルケトン）、エポキシ樹脂、ウレタン樹脂、フェノール樹脂、フェノールアラルキル樹脂、フラン樹脂、アミノ樹脂、不飽和ポリエステル樹脂、ジアリルフタレート樹脂、ＡＤＣ樹脂、ビニルエステル樹脂、フェノキシ樹脂、シリコーン樹脂、などで構成されている。
熱伝導率の良い充填材は、例えば、アルミニウム、マグネシウム、チタン、鉄、銅、ステンレス、銀、ニッケルなどの金属粉や金属繊維、またはこれら金属をメッキや蒸着などの製膜した粒子、Ａｌ２Ｏ３、ＭｇＯ、ＢＮ、ＡｌＮ、ＳｉＣ、ＴｉＯ２、ＹＡＧ、Ｃなどの粉体や繊維、などである。
また、筐体１０８は、光透過部材１０４を透過した光が通過する前側開口１０８ａと、放熱機構１０６からの熱を外部へ放出するための放熱開口１０８ｂとが形成されている。なお、放熱機構１０６からの熱をより効率的に外部に放出するため、放熱機構１０６が筐体１０８に収まらない構成、または、通風性の高いメッシュで囲まれた構成をとってもよい。
【００１６】
また、前側開口１０８ａの各辺には、バンドア１１０が設けられている。バンドア１１０は、開閉角度を調節することにより、照明装置１００の照射範囲を設定することができる。バンドア１１０の内面１１０ａは、光の反射率が高い鏡面や白色面で形成してもよい。これにより、バンドア１１０の内面１１０ａで反射された光も照射光として利用できるため、より明るい照射光量を実現できる。効率が向上し、照射光として利用できる光を増加させることができる。また、光の照射範囲を制御するためには内面１１０ａを黒色など光の反射率を抑えた面で形成してもよい。あるいは、照明装置１００は、バンドア１１０を設けない構成であってもよい。
【００１７】
筐体１０８は、その内面に反射部（鏡面や白色部）が形成されていてもよい。これにより、発光モジュール１０２から出射した光のうち、筐体１０８の内面で吸収されていた光が内面で反射されることで照射光として利用できる。そのため、照明装置１００における光源の利用効率が向上し、より明るい照明装置を実現する、あるいは同じ明るさの照射光を低消費電力で実現できる。
【００１８】
（光透過部材）
図２は、本実施の形態に係る照明装置に用いられる光透過部材の断面図である。図２に示す光透過部材１０４は、のこぎり状の断面を有するフレネルレンズである。また、光透過部材１０４は、発光モジュール１０２との相対位置が変化するように、筐体１０８に対してスライドするように設けられている。
【００１９】
（放熱機構）
放熱機構１０６は、発光モジュール１０２が発した熱を吸収し、外部へ効率よく排出できるように構成されている。放熱機構１０６としては、ヒートシンクや放熱ファン等が挙げられる。また、ヒートシンクや放熱ファンに加えて、あるいは代えて、発光モジュール１０２が直接搭載される搭載部にペルチェ素子やヒートパイプを設けてもよい。より好ましくは、ペルチェ素子と、少なくとも一部がＣｕからなる大型ヒートシンクと、大型の放熱ファンとを組み合わせた放熱機構であってもよい。効率の良い放熱機構とすることで、発光モジュールの温度が下がり、発光モジュールの発光効率が高まるので、消費電力を抑えることができる。また、放熱機構の小型化が可能となる。
【００２０】
また、放熱機構１０６として水冷ユニットを取り付けてもよい。これにより、大型のヒートシンクを採用する場合と比較して小型・軽量化が図られる。また、放熱機構１０６の各部材の放熱部に放熱塗料を塗布してもよい。これにより、単位面積当たりの放熱性が高まり、例えば、ヒートシンクを小型・軽量化できる。
【００２１】
（発光モジュール）
次に、発光モジュールについて説明する。例えば、照明装置で採用されているＬＥＤモジュールの白色化方式が青色ＬＥＤとＹＡＧ黄色蛍光体との組合せの場合、青色ＬＥＤから青色光が鉛直方向に出射されるが、それに対し青色光を吸収した蛍光体は、ランバーシアンに発光する。図３は、青色ＬＥＤとＹＡＧ黄色蛍光体とで構成された発光モジュールの発光モデルを模式的に示した図である。図３に示す発光モジュール（以下、比較例に係る発光モジュールと称する場合がある。）のように、ドーム直上は青白い光が、ドームの外周付近は黄色光が出射され、照射方向によって発光色が変動する。
【００２２】
図４は、本実施の形態に係る発光モジュールの発光モデルを模式的に示した図である。図４に示す発光モジュール１０２は、半導体発光素子１１２と、半導体発光素子１１２が搭載される素子搭載用基板１１４と、黄色蛍光体１１６および青色蛍光体１１８と、黄色蛍光体１１６および青色蛍光体１１８が適量分散された封止部材１２０と、を有する。封止部材１２０は、ドーム状に形成されている。なお、半導体発光素子１１２を一体的に封止した封止部材１２０は、図４に示すドーム状に限定されず、円柱状、直方体形状、ピラミッド形状、コーン状等の他の形状であってもよい。図４に示すように、本実施の形態に係る発光モジュールの白色化方式では、半導体発光素子１１２であるｎＵＶ−ＬＥＤから出射された紫外線又は短波長可視光は、ほとんど蛍光体に吸収され、第１の蛍光体（黄色蛍光体１１６）、第２の蛍光体（青色蛍光体１１８）においてランバーシアンな発光をする。そのため、ドーム直上とドームの外周付近とで青色光と黄色光との比率がほとんど変わらず、照射方向によって発光色が変動しない。
【００２３】
図５（ａ）は、図３に示す発光モジュールの発光スペクトルの模式図、図５（ｂ）は、図４に示す発光モジュールの発光スペクトルの模式図である。図５（ａ）に示すように、青色ＬＥＤとＹＡＧ黄色蛍光体で構成された発光モジュールは、４５０ｎｍ近傍の青色光をＬＥＤ自体の色で実現しており、その領域の発光スペクトルが非常にシャープとなる。周辺視においては、青色光に対する感受性が高いため、このような発光モジュールをスタジオ照明の光源に用いると、照射された人が不快な眩しさを感じてしまう。
【００２４】
しかしながら、本実施の形態に係る発光モジュールは、図５（ｂ）に示すように、４５０ｎｍ近傍の青色光を青色蛍光体のランバーシアンな発光で実現しており、その領域の発光スペクトルはブロードになっている。そのため、前述のような不快な眩しさが低減される。
【００２５】
また、黒文字で書かれた原稿などを読む場合、背景が白色（無彩色）のときよりもクリーム色（有彩色）のときの方が読みやすいと言われている。このような観点では、図５（ａ）に示す発光モジュールのように、ある程度以上の相対強度を有する波長域が広い照射光が好ましい。この場合、演色性も高くなるため、照射光によって照らされた人の肌もきれいに見える。そこで、このような発光モジュールを用いた照明装置を、キャスターやアナウンサーが座る机に設置し、顔を照射するように配置してもよい。
【００２６】
以下に、本実施の形態に係る発光モジュールが備える半導体発光素子や蛍光体等の各部材について詳述する。
【００２７】
［半導体発光素子］
半導体発光素子１１２は、例えば、紫外線や短波長可視光を発するＬＥＤチップである。例えば、ピーク波長が３８０〜４８０ｎｍのＬＥＤチップ等が挙げられる。好ましくは、ピーク波長が３８０〜４３０ｎｍの紫色ＬＥＤチップがよい。紫外線や短波長可視光を発する発光素子であれば、ＬＥＤ以外であってもよく、ＬＤ素子やＥＬ素子であってもよい。また、発光モジュール１０２に用いる半導体発光素子１１２は、光量や照射範囲を考慮して複数であってもよい。
【００２８】
［蛍光体の組合せ］
例えば、半導体発光素子１１２が紫色ＬＥＤチップの場合、基本的には、黄色蛍光体と青色蛍光体とを組み合わせるが、照射光に必要な色温度や演色性を考慮して、適宜赤色や緑色の蛍光体を組み合せてもよい。各色の蛍光体は、全て封止部材１２０に分散させてもよい。あるいは、赤色および緑色の蛍光体を半導体発光素子１１２の直上に配置し、黄色蛍光体１１６および青色蛍光体１１８を封止部材１２０に分散させてもよい。なお、半導体発光素子１１２として青色ＬＥＤチップを用いる場合、青色蛍光体を用いない、あるいは、青色蛍光体の量を相対的に少なくしてもよい。更に、青色以外の蛍光体をチップから近い位置に配置し、青色蛍光体を最上部に配置すると非点灯時の見栄えが良くなる。
【００２９】
［封止部材］
封止部材１２０は、光を透過させる透明な部材であり、例えば、ジメチルシリコーン系の樹脂が用いられる。これ以外には、フェニルシリコーン・アクリルシリコーン等のシリコーン系、ゾルゲル（シリカ、チタニア等）系、エポキシ系、アクリル系、ポリウレタン系、ポリエステル系、ＰＥＴ（ポリエチレンテレフタレート）系、フッ素ポリマー系、メラミン系、ＰＶＢ（ポリビニルブチラール）系、ガラス系（ホウケイ酸系、アルミノシリケート系、ソーダボロシリケート系等）等を封止部材１２０として用いてもよい。また、蛍光体を含有する封止部材の厚みは、０．１〜３０ｍｍ程度が好ましい。また、封止部材１２０に分散される蛍光体濃度は、０．１〜２０ｖｏｌ％程度が好ましい。
【００３０】
封止部材１２０の形成方法として、塗布（ディスペンサ塗布等）、射出成型、注型、トランスファ成型等の型を用いた成型、スクリーン印刷、ディッピング、スプレー、インクジェット法等の印刷法が挙げられる。
【００３１】
［素子搭載用基板］
素子搭載用基板１１４としては、金属基板（アルミ基板、銅基板等）、セラミック基板（アルミナ、窒化アルミ等）、樹脂基板（ガラスエポキシ基板等）、リードフレーム、樹脂枠と一体となったリードフレーム、フレキシブル基板（ＦＰＣ）等が挙げられる。基板は、熱伝導性、電気絶縁性、価格等を考慮して選定される。
【００３２】
［黄色蛍光体］
黄色蛍光体としては、紫外光（紫外線）または短波長可視光で励起され発光する以下の蛍光体が挙げられる。
（１）（Ｃａ１−ｘ−ｙ−ｚ−ｗ、Ｓｒｘ、ＭＩＩｙ、Ｅｕｚ、ＭＲｗ）７（ＳｉＯ３）６Ｘ２（ＭＩＩは、Ｍｇ、ＢａおよびＺｎのうち少なくとも一種の元素を含み、ＭＲは、希土類元素およびＭｎのうち少なくとも一種の元素を含み、Ｘは、ＣｌまたはＣｌを必須とする複数のハロゲン元素を含む。また、ｘ、ｙ、ｚ、ｗは、０．１＜ｘ＜０．７、０≦ｙ＜０．３、０＜ｚ＜０．４、０≦ｗ＜０．１を満たす。）
（２）ＣｓＭ１１−ａＰ２Ｏ７：Ｅｕ２＋ａ（Ｍ１は、ＣａおよびＳｒの少なくとも一種の元素を含み、ａは０．００１≦ａ≦０．５の範囲である。）
（３）Ｂａ２−ａＭｇＳｉ２Ｏ７：Ｅｕ２＋ａ（ａは０．００１≦ａ≦０．５の範囲である。）
ここで、（１）の黄色蛍光体は、青色光をあまり吸収しない、つまり青色蛍光体が発する光の再吸収が少ないことから、蛍光体を含有する樹脂層の厚さが変動しても発光色は変わりにくい。その結果、発光色の色度分布のばらつきを抑制できる。なお、本願発明の趣旨に沿っていれば、上述の黄色蛍光体以外であってもよい。
【００３３】
［青色蛍光体］
青色蛍光体としては、紫外光（紫外線）または短波長可視光で励起され発光する以下の蛍光体が挙げられる。
（１）Ｍ１ａ（Ｍ２Ｏ４）ｂＸｃ：Ｒｅｄ（Ｍ１は、Ｃａ、Ｓｒ、Ｂａのうち一種以上の元素を必須とし、一部をＭｇ、Ｚｎ、Ｃｄ、Ｋ、Ａｇ、Ｔｌからなる群の元素に置き換えることができる。Ｍ２は、Ｐを必須とし、一部をＶ、Ｓｉ、Ａｓ、Ｍｎ、Ｃｏ、Ｃｒ、Ｍｏ、Ｗ、Ｂからなる群の元素に置き換えることができる。Ｘは少なくとも１種のハロゲン元素、Ｒｅは、Ｅｕ２＋必須とする少なくとも１種の希土類元素又はＭｎを示す。ａは４．２≦ａ≦５．８、ｂは２．５≦ｂ≦３．５、ｃは０．８＜ｃ＜１．４、ｄは０．０１＜ｄ＜０．１の範囲である。）
（２）Ｍ１１−ａＭｇＡｌ１０Ｏ１７：Ｅｕ２＋a（Ｍ１は、Ｃａ、Ｓｒ、Ｂａ、Ｚｎからなる群より選ばれる少なくとも１種の元素、ａは０．００１≦ａ≦０．５の範囲である。）
（３）Ｍ１１−ａＭｇＳｉ２Ｏ８：Ｅｕ２＋ａ（Ｍ１は、Ｃａ、Ｓｒ、Ｂａ、Ｚｎからなる群より選ばれる少なくとも１種の元素、ａは０．００１≦ａ≦０．８の範囲である。）
（４）Ｍ１２−ａ（Ｂ５Ｏ９）Ｘ：Ｒｅａ（Ｍ１は、Ｃａ、Ｓｒ、Ｂａ、Ｚｎからなる群より選ばれる少なくとも１種の元素、Ｘは少なくとも１種のハロゲン元素、Ｒｅは、Ｅｕ２＋必須とする少なくとも１種の希土類元素又はＭｎを示す。ａは０．００１≦ａ≦０．５の範囲である。）
なお、本願発明の趣旨に沿っていれば、上述の青色蛍光体以外であってもよい。
【００３４】
［赤色蛍光体］
赤色蛍光体としては、紫外光（紫外線）または短波長可視光で励起され発光する以下の蛍光体が挙げられる。
（１）Ｙ２Ｏ２Ｓ：Ｅｕ
（２）Ｌａ２Ｏ２Ｓ：Ｅｕ
（３）（Ｓｒ，Ｃａ）Ｓ：Ｅｕ
（４）ＣａＳ：Ｅｕ
（５）Ｂａ２Ｚｎ３：Ｍｎ
（６）ＣａＡｌＳｉＮ３：Ｅｕ
（７）Ｓｒ０．９５Ｃａ０．９５Ｅｕ０．１ＳｉＯ４
（８）Ｎａ３（Ｙ１−ｘＥｕｘ）Ｓｉ２Ｏ７
（９）Ｃａ２ＳｉＳ４：Ｅｕ
（１０）Ｅｕ２ＳｉＳ４
（１１）３．５ＭｇＯ・０．５ＭｇＦ２・ＧｅＯ２：Ｍｎ
（１２）Ｍ（Ｇａ１−ｘＥｕｘ）２Ｏ４（ＭはＣａ、Ｓｒ、Ｂａの少なくとも一種の元素）
なお、本願発明の趣旨に沿っていれば、上述の赤色蛍光体以外であってもよい。
【００３５】
［緑色蛍光体］
緑蛍光体としては、紫外光（紫外線）または短波長可視光で励起され発光する以下の蛍光体が挙げられる。
（１）（Ｓｉ，Ａｌ）６（Ｏ，Ｎ）８：Ｅｕ（βサイアロン）
（２）（Ｓｒ１−ｘ−ｙ，Ｃａｘ）Ｇａ２（Ｓｚ、Ｓｅ１−ｚ）４：Ｅｕ２＋ｙ（０≦ｘ＜１、０＜ｙ＜０．２、０＜ｘ＋ｙ≦１、０＜ｚ≦１）
（３）（Ｓｒ１−ｘ−ｙ−ｚ，Ｃａｘ，Ｂａｙ，Ｍｇｚ）２ＳｉＯ４：Ｅｕ２＋ｗ（０＜ｘ＜１、０．５＜ｙ＜１、０＜ｚ＜１、０．０３＜ｗ＜０．２、０＜ｘ＋ｙ＋ｚ＋ｗ＜１）
（４）Ｙ３（Ａｌ１−ｘ，Ｇａｘ）５Ｏ１２：Ｃｅ（０＜ｘ≦1）
（５）ＣａＳｃ２Ｓｉ３Ｏ１２：Ｃｅ
（６）ＣａＳｃ２Ｏ４：Ｅｕ
（７）（Ｂａ，Ｓｒ）３Ｓｉ２Ｏ３Ｎ：Ｅｕ２＋
（８）ＮａＢａＳｃＳｉ２Ｏ７：Ｅｕ２＋
（９）ＺｎＳ：Ｃｕ，Ａｌ
（１０）ＢａＭｇＡｌ１０Ｏ１７：Ｅｕ，Ｍｎ
なお、本願発明の趣旨に沿っていれば、上述の緑色蛍光体以外であってもよい。
【００３６】
上述した本実施の形態に係る発光モジュールは、照射方向によって発光色が変動しない。よって、本実施の形態に係る発光モジュールを備えた照明装置は、照射面での色ムラが抑制された高品質な照射光を実現でき、高品質な照射光を必要とする照明器（スタジオ照明器等）には好適である。スタジオ照明等では、使用目的によりいろいろな配光パターンの照明器が必要となる。そこで、発光モジュールが備える半導体発光素子毎にレンズや反射鏡などの光学部材を設けて、使用目的に合った配光パターンを実現してもよい。
【００３７】
また、比較例に係る発光モジュールの場合、複数の青色ＬＥＤチップを配列すると、色ムラによるＬＥＤチップの粒状感が出ることがある。そのため、粒状感を低減するために、ＬＥＤチップの周辺に拡散シートを配置することがあるが、コストの増大や光の損失を招くことになる。一方、本実施の形態に係る発光モジュールは、色ムラや輝度ムラが少ないため、拡散シートを省略できる。
【００３８】
図６は、本実施の形態の実施例に係る発光モジュールの概略構成を示す図である。なお、上述と同じ部材については、同じ符号を付して説明を適宜省略する。
【００３９】
図６に示す発光モジュール１２２は、複数の半導体発光素子１１２が素子搭載用基板１１４上にアレイ状またはマトリックス状に配列されており、その周囲を囲むように白色枠１２４が設けられている。白色枠１２４は、フッ素樹脂や白樹脂（反射率の高い粉末を混ぜた樹脂）で形成するとよい。白色枠１２４で区画された領域には、複数種の蛍光体を樹脂に分散させた封止部材１２０が所定の形状となるように充填されている。所定の形状とは、平坦面や、発光モジュール１２２が発する光の出射方向を制御する凸面、凹面、または、その他の形状であってもよい。
【００４０】
白色枠１２４は、その内側にテーパ１２４ａが形成されている。これにより、半導体発光素子１１２から白色枠１２４に向かって出射された光を発光モジュール１２２の照射方向に向かって反射できるため、所望の照射領域の光量を向上できる。なお、枠の内側に反射面（例えば蒸着面）を形成してもよい。また、白色枠１２４の代わりに反射部材を設けてもよい。
【００４１】
封止部材１２０と素子搭載用基板１１４とは、シリコーン樹脂などの樹脂材料によって互いに接着される。また、白色枠１２４は、封止部材１２０がテーパ１２４ａを押すことによって素子搭載用基板１１４に対して固定される。
【００４２】
図７は、本実施の形態の実施例に係る発光モジュールの概略構成を示す図である。大光量が必要な発光モジュールでは、数百個から数万個のＬＥＤチップを使用する。また、発光モジュールの面積も大きくなる。このような場合、一つのモジュールで構成すると、ＬＥＤチップ一つが故障しても不良品となるため、歩留りが悪く、損失額も大きくなってしまう。これを抑制するために、大面積を同形状で分割した発光モジュールを組み合わせて、所望の形状を実現するのがよい。図７では、扇状の複数の発光モジュール１０２ａを８個並べて円形の発光面を形成したものである。
【００４３】
前述の扇状の発光モジュール１０２ａにおいて、発光モジュール１０２ａが備える複数の半導体発光素子の配置密度を中心側が密に、外側に行くにつれて粗になるようにすることで、照射領域の中心部が明るい配光パターンを形成できる。このような配光パターンは、照射範囲と非照射範囲との境の明暗差を少なくしたい場合、または、複数の照明器が照射する光を重ね合わせて使用する場合に好適である。
【００４４】
なお、発光モジュールにおける発光部（半導体発光素子）のレイアウトは種々取り得る。例えば、複数の半導体発光素子を、バンドア１１０が設けられている前側開口１０８ａの各辺と平行とならないように、うず巻き状や２重うず巻き状に配置することで、照射面に生ずる光ムラを低減できる。同様の効果は、複数の半導体発光素子を格子状にすることでも得られる。
【００４５】
また、複数の半導体発光素子を、四角状または円状にレイアウトした発光部としてもよい。また、大きさが異なる、複数の円状にレイアウトされた発光部を、同心状に配置してもよい。また、大きさが異なる、複数の四角状に配置された発光部を、同心状に配置してもよい。これにより、複数の半導体発光素子を用いた際の影が低減できる。
【００４６】
また、発光モジュール全体を発光モジュールの発光面と垂直に交わる軸や光軸を中心に回転してもよい。これにより、色ムラや光ムラ（輝度ムラ）が低減できる。また、複数の半導体発光素子は、放熱性を考慮して分散配置してもよい。これにより、温度上昇が抑制され、半導体発光素子の発光効率が向上する。
【００４７】
（反射ユニット）
次に、反射ユニットについて説明する。
図８は、本実施の形態に係る光透過部材と反射ユニットと発光モジュールとの周辺を拡大して示す拡大断面図である。反射ユニット１３０は、反射部材１３２と、移動機構１３４とを有する。反射部材１３２は、回転放物面の一部を基準面とする反射面１３２ａを有する。反射部材１３２は、発光モジュール１０２からの光をこの反射面１３２ａにより装置前方に向けて反射させる。図８では、反射面１３２ａの焦点Ｆと光透過部材１０４の焦点Ｆ’とが一致しており、かつ、光透過部材１０４の焦点Ｆ’上（図８では反射面１３２ａの焦点Ｆ上でもある）に発光モジュール１０２が位置している。
【００４８】
移動機構１３４は、反射部材１３２を装置前後方向に移動させる。具体的には、移動機構１３４は、ガイドロッド１３６と、伝達機構１３８と、モータ１４０と、を有する。ガイドロッド１３６は、一端が反射部材１３２に連結され、装置前後方向に延在するよう配置される。ガイドロッド１３６にはラックギヤ（不図示）が設けられている。伝達機構１３８は、モータ１４０の回転軸の回転をこのラックギヤに伝達して反射部材１３２を装置前後方向に移動させる。
【００４９】
図９（ａ）は、反射面１３２ａの焦点Ｆが発光モジュール１０２（および光透過部材１０４の焦点Ｆ’）より前方に位置するように反射部材１３２を移動させた状態を示す図である。図９（ｂ）は、図９（ａ）よりも反射部材１３２を前方に移動させた場合を示す図である。図９（ａ）では、発光モジュール１０２からの光は、光軸Ａｘから離れる方向に反射している。図９（ｂ）でも、発光モジュール１０２からの光は、光軸Ａｘから離れる方向に反射している。特に、図９（ｂ）では、図９（ａ）の場合よりも、より光軸Ａｘから離れる方向に反射している。つまり、反射部材１３２をより前方に移動させるほど、発光モジュール１０２からの光は光軸Ａｘからより離れるように反射する。言い換えると、反射部材１３２をより前方に移動させるほど、照明装置１００による照射範囲は広くなる。
【００５０】
このように、移動機構１３４によって反射部材１３２を前後方向に移動させることにより、発光モジュール１０２からの光の照射範囲を制御することができる。つまり、これらは発光モジュール１０２からの光の照射範囲を制御する制御手段として機能する。
【００５１】
このように構成された反射ユニット１３０によれば、発光モジュール１０２からの光を配光制御した高品質な照明装置を実現することができる。また、反射ユニット１３０によって筐体１０８に内面に向かう光を前方に反射できるため、照明装置１００における光源の利用効率が向上し、より明るい照明装置を実現することができる。あるいは同じ明るさの照射光を低消費電力で実現することできる。また、本実施の形態に係る照明装置によれば、発光モジュール１０２からの直射光が光透過部材１０４によって前方へ照射されることで中心光度を高めることができ、反射ユニット１３０を移動させることで自由にスポット配光、拡散配光を得ることができる。
【００５２】
（第２の実施の形態）
第１の実施の形態に係る照明装置１００と第２の実施の形態に係る照明装置との主な違いは発光モジュールを覆うレンズの有無である。
図１０は、第２の実施の形態に係る反射ユニットと発光モジュールとの周辺を拡大して示す拡大断面図である。図１０は図８に対応する。図１０に示す照明装置は、図８に示す照明装置の光透過部材１０４に代えて、発光モジュール１０２を覆うレンズ２５０を有する。レンズ２５０は、第１レンズ部２５０ａと第２レンズ部２５０ｂとを有する。第１レンズ部２５０ａは、発光モジュール１０２上に焦点ｆを有し、発光モジュール１０２からの光を光軸Ａｘに略平行な方向に透過させる。第２レンズ部２５０ｂは、発光モジュール１０２からの光を僅かに屈折させ、反射部材１３２に向けて透過させる。
【００５３】
以上、説明した本実施の形態に係る照明装置によれば、第１の実施の形態に係る照明装置１００と同様の作用効果を奏することができる。
【００５４】
（第３の実施の形態）
第１の実施の形態に係る照明装置１００と第３の実施の形態に係る照明装置との主な違いは、発光モジュールおよび反射ユニットの構成である。
図１１は、第３の実施の形態に係る光透過部材と反射ユニットと発光モジュールとの周辺を拡大して示す拡大断面図である。本実施の形態に係る照明装置は、光透過部材１０４と、発光モジュール３０１と、反射ユニット３３０と、点灯制御部３６０と、を含む。
【００５５】
発光モジュール３０１は、第１発光モジュール３０２と第２発光モジュール３０３とを有する。第１発光モジュール３０２および第２発光モジュール３０３は、第１の実施の形態の発光モジュール１０２に対応する。第１発光モジュール３０２と第２発光モジュール３０３は、光軸Ａｘ上において背中合わせに配置される。より具体的には、第１発光モジュール３０２は、光軸Ａｘ上において、その発光面３０２ａの法線が光軸Ａｘに垂直になるようにして上向きに配置される。第２発光モジュール３０３は、光軸Ａｘ上において、その発光面３０３ａの法線が光軸Ａｘに垂直になるようにして下向きに配置される。
【００５６】
反射ユニット３３０は、第１発光モジュール３０２からの光を反射させる第１反射部材３３２と、第２発光モジュール３０３からの光を反射させる第２反射部材３３３と含む。第１反射部材３３２、第２反射部材３３３は、それぞれ発光モジュール３０１、第１発光モジュール３０２の光軸上に配置される。第１反射部材３３２は、略回転楕円面の一部を基準面とする反射面３３２ａを有する。反射面３３２ａは、第１発光モジュール３０２上に第１焦点Ｆａ１を有し、光軸Ａｘ上であって、光透過部材１０４の後側焦点Ｆよりも前方の位置に第２焦点Ｆａ２を有する。これにより、第１反射部材３３２からの反射光は、拡散光として照射される。特に、後述する第２反射部材３３３からの反射光よりも、より光軸Ａｘから離れるように広がる拡散光として照射される。
【００５７】
第２反射部材３３３は、略回転楕円面の一部を基準面とする反射面３３３ａを有する。反射面３３３ａは、第２発光モジュール３０３上に第１焦点Ｆｂ１を有し、光軸Ａｘ上であって、反射面３３２ａの第２焦点Ｆａ２よりも後方の位置に第２焦点Ｆｂ２を有する。本実施の形態では、第２焦点Ｆｂ２は、光透過部材１０４の後側焦点よりも前方に位置する。これにより、第２反射部材３３３からの反射光は、拡散光として照射される。
【００５８】
点灯制御部３６０は、第１発光モジュール３０２と第２発光モジュール３０３の点灯を制御する。上述のように、第２発光モジュール３０３を点灯させた場合、その光は、光軸Ａｘから離れるように広がる拡散光として照射される。第１発光モジュール３０２を点灯させた場合、その光は、第２発光モジュール３０３を点灯させた場合よりもより光軸Ａｘから離れるように広がる拡散光として照射される。つまり、点灯させる発光モジュールを制御することにより発光モジュール３０１からの光の照射範囲を制御することができる。なお、第１発光モジュール３０２と第２発光モジュール３０３の両方を点灯させてもよい。
【００５９】
また、光透過部材１０４は、筐体１０８をスライドするように設けられている。したがって、光透過部材１０４をスライドさせて第２焦点Ｆａ２および第２焦点Ｆｂ２に対する後側焦点Ｆの位置を変えることができる。これにより、照射範囲をさらに細かく制御することができる。また、光透過部材１０４のスライドと点灯制御部３６０による点灯制御との協働で照射範囲を制御すれば、光透過部材１０４のスライドだけで照射範囲を制御する場合に比べ、より短い光透過部材１０４の移動で照射範囲を大きく変動させることができる。
【００６０】
以上、説明した本実施の形態に係る照明装置によれば、第１の実施の形態に係る照明装置１００と同様の作用効果を奏することができる。加えて、本実施の形態に係る照明装置によれば、光透過部材１０４の移動距離を短くすることができ、光透過部材１０４を移動させる移動機構の負荷を減らすことができる。
【００６１】
（第４の実施の形態）
第１の実施の形態に係る照明装置１００と、第４の実施の形態に係る照明装置の主な違いは、光透過部材の構成である。
本実施の形態に係る光透過部材は、アプラナティックレンズとして機能する。これにより、周辺光を減少させることができ、光を照射された人が感じる眩しさを緩和することができる。
【００６２】
発光モジュールが複数ある場合は、それぞれアプラナチックレンズとして機能する複数の部材を組み合わせて光透過部材を構成してもよい。図１２（ａ）、（ｂ）は、複数の部材を用いて光透過部材４０４を構成する場合を説明するための説明図である。図１２（ａ）は光透過部材４０４を正面から見た図を示し図１２（ｂ）は、光透過部材４０４を側面から見た図を示す。
【００６３】
図１２（ａ）、（ｂ）では、それぞれアプラナチックレンズとして機能する光透過部材４０４ａ〜４０４ｉを３×３のアレイ状に配列して光透過部材４０４を構成している。また、光透過部材４０４ａ〜４０４ｉごとに、発光モジュール１０２を設けている。通常、理想的なアプラナチックレンズは、その厚みが比較的大きくなるが、このように、それぞれアプラナチックレンズとして機能する複数の部材を組み合わせて光透過部材４０４を構成することにより、その厚みを比較的小さくすることができる。
【００６４】
（第５の実施の形態）
第１の実施の形態に係る照明装置１００と、第５の実施の形態に係る照明装置の主な違いは、放熱機構、発光モジュール、および反射部材の配置である。
図１３は、第５の実施の形態に係る照明装置の概略構成を示す断面図である。本実施の形態に係る照明装置５００は、発光モジュール１０２と、発光モジュール１０２からの光を反射させる反射部材５３２と、反射部材が反射した光を前方へ透過させる光透過部材１０４と、放熱機構１０６と、発光モジュール１０２および反射部材５３２を収容する筐体１０８と、を備える。
【００６５】
反射部材５３２は発光モジュール１０２の光軸上に配置される。反射部材５３２は、略回転楕円面の一部を基準面とする反射面５３２ａを有する。
【００６６】
放熱機構１０６は、反射部材５３２の上方であって、筐体１０８の上面、すなわち前側開口１０８ａと対向しない面に設けられている。より具体的には、放熱機構１０６は、照明装置５００の光軸方向において反射部材５３２と重複するように設けられる。発光モジュール１０２は、その発光面が反射部材５３２を向くようにして放熱機構１０６の下面に固定される。
【００６７】
放熱機構１０６、発光モジュール１０２、および反射部材５３２をこのように配置することにより、放熱機構１０６を照明装置５００の光軸方向において反射部材５３２よりも光透過部材１０４から遠い位置に配置した場合と比べ、筐体１０８を照明装置５００の光軸方向に短くすることができる。つまり、照明装置１００を小型化することができる。
【００６８】
また、本実施の形態では、放熱開口１０８ｂが筐体１０８の上面に設けられる。放熱機構１０６は、発光モジュール１０２が発した熱を、放熱開口１０８ｂからすなわち照明装置１００の上方から外部へ排出するよう構成される。熱せられた空気は上昇するため、このように上方に熱を排出するよう構成することで、放熱性が向上する。
【００６９】
また、本実施の形態では発光モジュール１０２の光軸上に反射部材５３２が配置され、光軸に沿って出射される強い光が反射部材５３２で反射される。これにより、精度の良い配光制御が可能となる。発光モジュール１０２のように光軸方向への指向性の強い光源においては特に有効である。
【００７０】
以上、本発明を上述の実施の形態を参照して説明したが、本発明は上述の実施の形態に限定されるものではなく、実施の形態の構成を適宜組み合わせたものや置換したものについても本発明に含まれるものである。また、当業者の知識に基づいて各実施の形態における組合せや処理の順番を適宜組み替えることや各種の設計変更等の変形を実施の形態に対して加えることも可能であり、そのような変形が加えられた実施の形態も本発明の範囲に含まれうる。
【００７１】
（変形例１）
第１、２の実施の形態では、発光モジュール１０２を光軸Ａｘ上に配置する場合について説明したが、これに限られない。例えば、反射部材１３２の外縁部分に、発光面が反射部材１３２の反射面１３２ａを向いた発光モジュール１０２を、周方向に等間隔に複数配置してもよい。
【００７２】
（変形例２）
第１、２の実施の形態では、発光モジュール１０２を１つ用いる場合について説明したが、これに限られず、複数の発光モジュール１０２を用いてもよい。この場合、発光モジュール１０２ごとに反射部材１３２を設けてもよい。また、複数の発光モジュール１０２を複数のグループに分け、グループごとに反射部材１３２を設けてもよい。
【００７３】
（変形例３）
第１の実施の形態では、発光モジュール１０２に対して反射部材１３２を移動させる場合について説明したが、これに限られない。反射部材１３２に代えて、または反射部材１３２とともに、発光モジュール１０２を移動させてもよい。
【００７４】
（変形例４）
半導体発光素子は指向性が強いため、輪郭がはっきりした濃い影ができる場合がある。こうした影は人に不快感を与えうる。この課題に対応するために、例えば、メイン光源としての発光モジュールに加え、その影をぼかすためのサブ光源としての発光モジュールを設けてもよい。これにより、人に与える不快感を低減できる。
【００７５】
（変形例５）
第１の実施の形態では、移動機構１３４により反射部材１３２を前後方向に移動させる場合、すなわち反射部材１３２を移動させることにより反射部材１３２と発光モジュール１０２の相対位置を変化させる場合について説明したが、これに限られない。例えば、発光モジュール１０２を前後方向に移動させる移動機構を設け、発光モジュール１０２を前後方向に移動させることにより反射部材１３２と発光モジュール１０２の相対位置を変化させてもよい。
【００７６】
（変形例６）
第２、３の実施の形態では、光透過部材１０４を移動させることにより、光透過部材１０４と、発光モジュール１０２および反射部材（以下、これらをまとめて「光源ユニット」とよぶ）との相対位置を変化させる場合について説明したが、これに限られない。例えば、光源ユニットを移動させる移動機構を設け、光源ユニットを移動させることにより光透過部材１０４と光源ユニットの相対位置を変化させてもよい。
【符号の説明】
【００７７】
１０  発光モジュール、１００  照明装置、１０２，１０２ａ  発光モジュール、１０４  光透過部材、１０６  放熱機構、１０８  筐体、１０８ａ  前側開口、１０８ｂ  放熱開口、１１０  バンドア、１１２，１１２ｂ，１１２ｃ  半導体発光素子、１１４  素子搭載用基板、１１６  黄色蛍光体、１１８  青色蛍光体、１２０  封止部材、１２２  発光モジュール、１２４  白色枠、１２４ａ  テーパ、１２６  発光モジュール、１３０  反射ユニット、１３２  反射部材、１３４  移動機構。
【図１】
2015015109.tif 000003
【図２】
2015015109.tif 000004
【図３】
2015015109.tif 000005
【図４】
2015015109.tif 000006
【図５】
2015015109.tif 000007
【図６】
2015015109.tif 000008
【図７】
2015015109.tif 000009
【図８】
2015015109.tif 000010
【図９】
2015015109.tif 000011
【図１０】
2015015109.tif 000012
【図１１】
2015015109.tif 000013
【図１２】
2015015109.tif 000014
【図１３】
2015015109.tif 000015